(57)【特許請求の範囲】
【請求項１】
共同玄関を訪れた来訪者をロビーインターホンに設けられたカメラユニットを用いて住戸内モニタから確認でき、該カメラユニットの電源及び住戸内モニタの電源に映像信号を重畳して一対の平衡電線で映像電源重畳信号を伝送する集合住宅インターホンシステムにおいて、
前記ロビーインターホンの前記カメラユニットへ電源を出力し、該カメラユニットが電源に重畳させて出力した映像信号が入力される映像制御装置と、
前記映像制御装置と前記カメラユニットの間に設けられ、前記映像電源重畳信号の電源を用いて映像信号を増幅し、中継する映像中継増幅器とを備え、
前記映像中継増幅器が、
前記映像電源重畳信号から高周波成分を除去して映像信号を除去した直流或いは低周波電源を作成する電源作成部と、
前記映像電源重畳信号から低周波成分を除去して映像信号を取り出し、該映像信号を所定の電圧レベルまで増幅する映像信号作成部とを有し、
前記電源作成部で作成した電源を前記カメラユニットから出力される映像信号に重畳して前記カメラユニットへ供給し、前記映像信号作成部で作成した映像信号を前記映像制御装置から出力される電源に重畳して出力することを特徴とする集合住宅インターホンシステム。
【請求項２】
前記映像中継増幅器は、機能選択スイッチと、該号機能選択スイッチに接続される信号入力端子および信号出力端子とを備え、
前記機能選択スイッチにより、前記信号入力端子側から電源を入力して前記信号出力端子側へ電源を送出する機能と、前記信号出力端子側から電源を入力して前記信号入力端子側へ電源を送出する機能とが切り替えられることを特徴とする請求項１記載の集合住宅インターホンシステム。
【発明の詳細な説明】
【０００１】
【発明の属する技術分野】
本発明は、映像中継増幅器が設置された集合住宅用インターホンシステムに関する。
【０００２】
【従来の技術】
図５は、一般的な集合住宅用インターホンシステムの映像システムを示している。１は平衡電線、１０はカメラユニット、２０は映像制御装置、３０は映像中継増幅器、４０は住戸内モニタ、５０は分岐器、９０は多棟映像制御装置である。
【０００３】
まず、来訪者が共同玄関を訪れた場合を説明する。来訪者は、共同玄関に設けられた、図示しないロビーインターホンを操作して訪問先の住戸の人を呼び出す。この際、ロビーインターホンに設けられたカメラユニット１０により訪問者が撮影されて、住戸内モニタ４０にその撮影画像が映し出される。この動作例について図５を用いて具体的に説明する。なお共同玄関は複数あり、その場所毎にカメラユニット１０が設けられている。
まず、図示しないインターホンの中央制御装置より制御信号を受けた映像制御装置２０は、呼び出しが行われたロビーインターホンに設けられたカメラユニット１０を選択し駆動する。映像制御装置２０は、選択したカメラユニット１０からの映像信号を増幅して住戸内モニタ４０へ送出する。そして、ロビーインターホンから呼び出しをうけて、インターホンの中央制御装置より制御信号を受けた住戸内モニタ４０は、分岐器５０を介して映像信号が入力され、選択されたカメラユニット１０の映像が住戸内モニタ４０に表示される。
【０００４】
図６、図７、図８は、それぞれカメラユニット１０、映像制御装置２０、住戸内モニタ４０の内部ブロックを示したものである。図６において、１０ａ〜１４はカメラユニット１０の内部ブロックであり、１０ａはカメラ出力端子、１１はローパスフィルタ、１２は定電圧発生部、１３はＣＣＤカメラ部、１４は映像信号変調部である。また図７において、２０ａ〜２７は映像制御装置２０の内部ブロックであり、２０ａはモニタ出力端子、２０ｂはカメラ入力端子、２０ｃは商用電源端子、２０ｄは制御入力端子、２１は回線切替部、２２は映像信号作成部、２３はハイパスフィルタ、２４は増幅部、２５は出力バッファ、２６は制御部、２７は定電圧発生部である。また図８において、４０ａ〜４５は住戸内モニタ４０の内部ブロックである。４０ａはモニタ入力端子、４１はローパスフィルタ、４２は定電圧発生部、４３はハイパスフィルタ、４４は復調部、４５は表示部である。
【０００５】
映像制御装置２０は、商用電源端子２０ｃから定電圧発生部２７を介して映像制御装置２０内部の駆動電源を作成する。制御入力端子２０ｄを介して、インターホンの中央制御装置より制御信号を受けた制御部２６は、回線切替部２１により来訪者が呼び出し操作を行ったロビーインターホンのカメラユニット１０を選択し、住戸内モニタ４０へ映像信号を送出する為の出力バッファ２５を使用可能状態にする。
【０００６】
回線切替によって選択されたカメラユニット１０は、映像制御装置２０の定電圧発生部２７より平衡電線１を介してカメラ出力端子１０ａから電源が供給され、ローパスフィルタ１１を経て定電圧発生部１２によりＣＣＤカメラ部１３及び映像信号変調部１４を駆動する内部電源を作成する（図６参照）。ＣＣＤカメラ部１３はＣＣＤにより撮像した風景及び来訪者の映像を電気信号に変換し、映像信号変調部１４はＣＣＤカメラ部１３より出力された信号を狭い占有周波数へ変調する。例えばＦＭ変調やＡＭ変調である。変調された電気信号（以下映像信号と呼ぶ）は、カメラ出力端子１０ａを介して映像制御装置２０より電源を供給されている平衡電線１へ重畳して出力される。このようにカメラユニット１０と映像制御装置２０との間の平衡電線１及びその他の平衡電線１には、電源に映像信号が重畳された映像電源重畳信号が伝送されている。
【０００７】
カメラユニット１０からの映像信号は、カメラ入力端子２０ｂを介して、映像制御装置２０の映像信号作成部２２へ出力される。映像信号作成部はハイパスフィルタ２３と増幅部２４により構成され、ハイパスフィルタ２３で電源に重畳された映像信号を分離する。増幅部２４は平衡電線１によって減衰した映像信号を増幅する。増幅された映像信号は、出力バッファ２５から出力され、定電圧発生部２７から出力される駆動電源と再び重畳され、平衡電線１（及びモニタ出力端子２０ａ）を介して分岐器５０、住戸内モニタ４０へ出力される。このように住戸内モニタ４０の電源は、映像制御装置２０から供給されている。
【０００８】
訪問者がロビーインターホンを操作して、訪問したい住戸を選択すると、選択された住戸内モニタ４０は、平衡電線１を介して映像制御装置２０に接続された分岐器５０から、平衡電線１を介して電源に重畳された映像信号を受信する。分岐器５０は、映像信号のインピーダンス整合を行いながら線路の分岐をするもので、システムの動作説明に直接影響しないため、以後省略して説明する。図８の住戸モニタ４０において、モニタ入力端子４０ａから入力された映像電源重畳信号から電源が内部のローパスフィルタ４１により分離され、定電圧発生部４２は復調部４４と表示部４５の駆動用電源を作成する。また、ハイパスフィルタ４３によって分離された映像信号は、復調部４４によって元の信号に戻され、表示部４５は該信号に基づいた画面を表示する。
【０００９】
住戸内モニタ４０は、平衡電線１を介して映像制御装置２０から電源と映像信号の供給を受けるが、平衡電線１の線路長が長くなると映像信号の減衰が大きくなり、住戸内モニタ４０での映像信号の復調が困難になる。そこで、線路長が長くなる場合には映像制御装置２０の出力を映像中継増幅器３０に入力し、再び映像信号を増幅した後に住戸モニタ４０へ入力する（図５の右上部分参照）。
【００１０】
図９は従来の映像中継増幅器３０のブロック図である。３０ａはモニタ出力端子、３０ｂは信号入力端子、３０ｃは商用電源端子、３１はハイパスフィルタ、３２は増幅部、３３は定電圧発生部、３４は出力バッファである。
【００１１】
映像中継増幅器３０は商用電源端子３０ｃから定電圧発生部３３により増幅部３２、出力バッファ３４を駆動し、さらに住戸モニタ４０を駆動する為の駆動電源を作成する。映像制御装置２０より送出される電源に重畳され、信号入力端子３０ｂから入力された映像信号はハイパスフィルタ３１により電源電圧と分離され、分離された映像信号は増幅部３２により増幅される。増幅された映像信号は、出力バッファ３４を介して定電圧発生部３３により作成された駆動電源に再び重畳されて住戸モニタ４０へ出力される。
【００１２】
【発明が解決しようとする課題】
図９の形態の映像中継増幅器３０は、商用電源により駆動されるため、大きな電力を使用できる。このため、出力バッファ３４の数を増加させることにより、多くの住戸モニタ４０への平衡電線１を接続させることができる。
【００１３】
しかしながら、実際の集合住宅へシステムを設置する場合、線路長が足りない住戸数はそれほど多くなく、多数の住戸モニタを増幅器に接続する必要性は低い。また集合住宅内で商用電源を確保できる場所は限定されるため、設置場所を慎重に選択する必要があった。
【００１４】
また、図９の形態では、映像制御装置２０と住戸内モニタ４０の間の線路長を延長する事しかできず、カメラユニット１０と映像制御装置２０の線路長が足りない場合には対応できない欠点があった。
【００１５】
また、集合住宅が複数の棟で構成される場合、それぞれの棟に映像制御装置２０を設置し、各棟の映像制御装置２０へ映像信号を送出する多棟映像制御装置９０が設置される（図５の左下部分参照）。該映像制御装置間の線路長は棟間を接続するため自ずと長くなるが、図９の構成の映像中継増幅器では商用電源の確保が可能な場所が限定されるため、設置場所の確保が困難という問題点があった。
【００１６】
【課題を解決するための手段】
上記の点に鑑み、本発明は、共同玄関を訪れた来訪者をロビーインターホンに設けられたカメラユニットを用いて住戸内モニタから確認でき、該カメラユニットの電源及び住戸内モニタの電源に映像信号を重畳して一対の平衡電線で映像電源重畳信号を伝送する集合住宅インターホンシステムにおいて、ロビーインターホンの前記カメラユニットへ電源を出力し、該カメラユニットが電源に重畳させて出力した映像信号が入力される映像制御装置と、映像制御装置と前記カメラユニットの間に設けられ、前記映像電源重畳信号の電源を用いて映像信号を増幅し、中継する映像中継増幅器とを備え、記映像中継増幅器が、映像電源重畳信号から高周波成分を除去して映像信号を除去した直流或いは低周波電源を作成する電源作成部と、映像電源重畳信号から低周波成分を除去して映像信号を取り出し、該映像信号を所定の電圧レベルまで増幅する映像信号作成部とを有し、電源作成部で作成した電源を前記カメラユニットから出力される映像信号に重畳して前記カメラユニットへ供給し、前記映像信号作成部で作成した映像信号を前記映像制御装置から出力される電源に重畳して出力することを特徴とするものである。
【００１７】
【発明の実施の形態】
以下、本発明を実施した形態について説明する。なお従来技術と同じ部分には同じ符号をつけ説明を省略する。図１は、本発明の映像中継増幅器７０の第１の実施形態を示す構成図である。７０ａは信号入力端子、７０ｂはモニタ出力端子、７１は逆流防止部、７２ａ〜７２ｂはローパスフィルタ、７３は整流部、７４は定電圧発生部、７５はハイパスフィルタ、７６は増幅部、７７は電源作成部、７８は映像信号作成部である。
【００１８】
映像中継増幅器７０は、映像制御装置２０と住戸内モニタ４０の間に設置され、映像制御装置２０より送出される映像電源重畳信号が入力される（図３参照）。
【００１９】
電源作成部７７は、信号入力端子７０ａを介して映像制御装置２０から入力された映像電源重畳信号の高周波成分を除去して映像信号を除去した直流或いは低周波電源を作成する。即ち、映像制御装置２０から入力された映像電源重畳信号は整流部７３で整流され、ローパスフィルタ７２ａで平滑された後に保護回路である逆流防止部７１を介して住戸内モニタ４０への電源を供給する。ローパスフィルタ７２ｂで映像信号を除去された電源は、定電圧発生部７４によって内部駆動用電源を作成し、増幅部７６に供給する。映像信号作成部７８は、映像電源重畳信号から低周波成分を除去して映像信号を取り出し、映像信号を所定の電圧レベルまで増幅する。即ち、ハイパスフィルタ７５で映像電源重畳信号から映像信号を分離し、増幅部７６で平衡電線１の影響で減衰した映像信号を増幅する。そして電源作成部７７により作成した電源と、映像信号作成部７８により作成した映像信号を図示しない重畳部で再び重畳し、モニタ出力端子７０ｂを介して住戸内モニタ４０へ出力する。
【００２０】
次に、本発明の映像中継増幅器６０の第２の実施形態を図２に示す。６０ａは信号出力端子、６０ｂはカメラ入力端子、６１は逆流防止部、６２ａ〜６２ｂはローパスフィルタ、６３は整流部、６４は定電圧発生部、６５はハイパスフィルタ、６６は増幅部、６７は電源作成部、６８は映像信号作成部である。
【００２１】
映像中継増幅器６０は、映像制御装置２０とカメラユニット１０の間に設置され（図３参照）、映像制御装置２０より送出される電源が信号出力端子６０ａより入力され、カメラユニット１０からの映像信号はカメラ入力端子６０ｂより入力される。この映像制御装置２０から送出される電源は、ロビーインターホンのカメラユニット１０へ出力される。そしてカメラユニット１０は電源に重畳させて映像信号を映像制御装置２０へ出力する。
【００２２】
映像中継増幅器６０の電源作成部６７は高周波成分を除去して映像信号を除去した直流或いは低周波電源を作成する。即ち、映像制御装置２０より入力された電源を整流部６３で整流し、ローパスフィルタ６２ａで平滑した後に保護回路である逆流防止部６１を介してカメラユニット１０への電源を供給する。また、整流部６３で整流された映像電源重畳信号は、ローパスフィルタ６２ｂを経て定電圧発生部６４によって内部駆動用電源を作成する。映像信号作成部６８は、映像電源重畳信号から低周波成分を除去して映像信号を取り出し、映像信号を所定の電圧レベルまで増幅する。即ち、映像電源重畳信号は、ハイパスフィルタ６５によって直流又は低周波の電源電圧が除去されて映像信号が分離され、増幅部６６で平衡電線１の影響で減衰した映像信号を増幅する。
【００２３】
そして電源作成部６７が作成した電源を、カメラユニット１０から送出される映像信号に図示しない重畳部で重畳して、カメラ端子６０ｂを介してカメラユニット１０へ出力し、映像信号作成部６８により作成した映像信号を、信号出力端子６０ａを介して映像制御装置２０が出力する電源に重畳して映像制御装置２０へ出力する。
【００２４】
次に、本発明の映像中継増幅器８０の第３の実施形態を図４に示す。８０ａは信号入力端子、８０ｂは信号出力端子、８１は機能選択スイッチ、８１ａ、８１ｂはスイッチ、８２は電源作成部、８３は映像信号作成部、８４は整流部、８５ａ〜８５ｂはローパスフィルタ、８６は逆流防止部、８７は定電圧発生部、８８はハイパスフィルタ、８９は増幅部である。
【００２５】
映像信号作成部８３は、信号入力端子８０ａより入力された映像電源重畳信号からハイパスフィルタ８８で電源電圧と分離して映像信号を取り出し、増幅部８９で平衡電線１の影響で減衰した映像信号を増幅する。電源作成部８２は入力された電源を整流部８４で整流し、ローパスフィルタ８５ａで平滑した後に保護回路である逆流防止部８６を通じて電源を作成する。また、整流部８４で整流された電源は、ローパスフィルタ８５ｂを経て定電圧発生部８７によって、映像信号作成部８３等を駆動するための内部駆動用電源を作成する。
【００２６】
電源作成部８２への入力と出力には機能選択スイッチ８１が設けられ、該スイッチを切り替える事により信号入力端子８０ａ側から電源を入力して信号出力端子８０ｂ側へ電源を送出する機能と、信号出力端子８０ｂ側から電源を入力して信号入力端子８０ａ側へ電源を送出する機能の２つの機能を選択できる。
【００２７】
機能選択スイッチ８１は、連動して切り替えられるスイッチ８１ａとスイッチ８１ｂとから構成される。ここでスイッチ８１ａ，８１ｂを接点Ａ，Ｃに接続して、上記信号入力端子８０ａ側から電源を入力して信号出力端子８０ｂ側へ電源を送出する機能を選択した場合には、電源作成部８２で作成した電源と映像信号作成部８３により作成した映像信号を重畳する事になり、上記第１の実施形態と同一の形態となる。即ち、映像制御装置２０と住戸内モニタ４０の間に設置される映像中継増幅器７０と同じ機能を備えることになる。
またスイッチ８１ａ，８１ｂを接点Ｂ，Ｄに接続して、上記信号出力端子８０ｂ側から電源を入力して信号入力端子８０ａ側へ電源を送出する機能を選択した場合には、電源作成部８２で作成した電源出力と入力される映像信号とを重畳し、映像信号作成部８３により作成した映像信号と入力される電源とを重畳する事になり、上記第２の実施形態と同一の形態となる。即ち、映像制御装置２０とカメラユニット１０の間に設置される映像中継増幅器６０と同じ機能を備えることになる。
【００２８】
図３は、本発明の映像中継増幅器を用いたシステム構成例である。なお、従来例と同じ部分には同じ符号を付け説明を省略する。
【００２９】
本発明の第１の実施形態の映像中継増幅器７０を用いると、映像制御装置２０と住戸内モニタ４０との線路長を商用電源の供給無しで延長することができる。
また第１の実施形態の映像制御装置２０を接続する代わりに多棟映像制御装置９０を接続し、住戸内モニタ４０を接続する代わりに映像制御装置２０を接続するようにすれば、映像制御装置間の線路長を商用電源の供給無しで延長することができる。
【００３０】
本発明の第２の実施形態の映像中継増幅器６０を用いると、映像制御装置２０とカメラユニット１０との線路長を商用電源の供給無しで延長することができる。
【００３１】
本発明の第３の実施形態の映像中継増幅器８０を用いると、映像制御装置２０と住戸内モニタ４０との線路長の延長、映像制御装置間の線路長の延長、映像制御装置２０とカメラユニット１０との線路長の何れでも商用電源の供給無しで行うことができる。
【００３２】
また本発明の映像中継増幅器は、図３に示すように映像中継増幅器を複数段接続することにより、映像中継増幅器によって増幅した信号を再び映像中継増幅器で増幅して線路長を更に延長することも可能である。特に、多棟映像制御装置９０と各棟の映像制御装置２０間の線路長は長い場合が多いので、この間に映像中継増幅器７０を複数段設けると有効である。
【００３３】
【発明の効果】
このように、本発明の第１の実施形態によれば、映像電源重畳信号の電源を用いて映像信号を増幅し、中継するようにしたので、商用電源の供給無しに映像制御装置と住戸内モニタとの線路長を延長することができ、また、映像制御装置間の線路長をも延長することができる。また本発明の第２の形態によれば、商用電源の供給無しに映像制御装置とカメラユニットとの線路長を延長することができる。さらに、映像中継増幅器の機器内に機能選択スイッチを備え、該スイッチを切り替えることにより本発明の第１の実施形態と第２の実施形態の機能を切り替えることのできる映像中継増幅器を構成すれば、カメラユニットと映像制御装置の線路延長、住戸内モニタと映像制御装置の線路延長、映像制御装置間の線路延長の何れの用途にも用いることができる。
【００３４】
本発明によれば、商用電源を必要としないため、設置場所の選定が容易になり、システムの設備設計が容易になる利点がある。
【図面の簡単な説明】
【図１】本発明の映像中継増幅器の第１の形態の内部ブロックを示したものである。
【図２】本発明の映像中継増幅器の第２の形態の内部ブロックを示したものである。
【図３】本発明の映像中継増幅器の多棟システムのシステム例を示したものである。
【図４】本発明の映像中継増幅器の第３の形態の内部ブロックを示したものである。
【図５】従来の集合住宅インターホンシステムの映像システム例を示したものである。
【図６】ロビーインターホン内のカメラユニットの内部ブロックを示したものである。
【図７】映像制御装置の内部ブロックを示したものである。
【図８】住戸内モニタの内部ブロックを示したものである。
【図９】従来の映像中継増幅器の内部ブロックを示したものである。
【符号の説明】
１    平衡電線
１０    ロビーインターホン内のカメラユニット
１０ａ  カメラ出力端子      １１    ローパスフィルタ
１２    定電圧発生部        １３    ＣＣＤカメラ部
１４    映像信号変調部
２０    映像制御装置        ２０ａ  モニタ出力端子
２０ｂ  カメラ入力端子      ２０ｃ  商用電源端子
２０ｄ  制御入力端子        ２１    回線切替部
２２  映像信号作成部        ２３    ハイパスフィルタ
２４  増幅部                ２５    出力バッファ
２６  制御部                ２７    定電圧発生部
３０  従来の映像中継増幅器
３０ａ  モニタ出力端子      ３０ｂ  信号入力端子
３０ｃ  商用電源端子        ３１    ハイパスフィルタ
３２  増幅部                ３３    定電圧発生部
３４  出力バッファ
４０    住戸内モニタ        ４０ａ  モニタ入力端子
４１  ローパスフィルタ      ４２    定電圧発生部
４３  ハイパスフィルタ      ４４    復調部
４５  表示部
５０    分岐器
６０  本発明の第２の形態の映像中継増幅器
６０ａ  信号出力端子        ６０ｂ  カメラ入力端子
６１  逆流防止部            ６２ａ〜６２ｂ  ローパスフィルタ
６３  整流部                ６４    定電圧発生部
６５  ハイパスフィルタ      ６６    増幅部
６７  電源作成部            ６８    映像信号作成部
７０  本発明の第１の形態の映像中継増幅器
７０ａ  信号入力端子        ７０ｂ  モニタ出力端子
７１  逆流防止部            ７２ａ〜７２ｂ  ローパスフィルタ
７３  整流部                ７４    定電圧発生部
７５  ハイパスフィルタ      ７６    増幅部
７７  電源作成部            ７８    映像信号作成部
８０  本発明の第３の形態の映像中継増幅器
８０ａ  信号入力端子        ８０ｂ  信号出力端子
８１  機能選択スイッチ      ８１ａ  ｓｗ１
８１ｂ  ｓｗ２              ８２    電源作成部
８３  映像信号作成部        ８４    整流部
８５ａ〜８５ｂ  ローパスフィルタ
８６  逆流防止部            ８７    定電圧発生部
８８  ハイパスフィルタ      ８９    増幅部
９０  多棟映像制御装置
【図１】
0004629932.tif 000002
【図２】
0004629932.tif 000003
【図３】
0004629932.tif 000004
【図４】
0004629932.tif 000005
【図５】
0004629932.tif 000006
【図６】
0004629932.tif 000007
【図７】
0004629932.tif 000008
【図８】
0004629932.tif 000009
【図９】
0004629932.tif 000010